(57)【要約】【課題】種々の用途に使用することを可能とし、使い勝手に優れる編み物用マーカーを提供すること。【解決手段】本発明の編み物用マーカーＡ１は、ベース部１と、ベース部１から延びるように形成され、編み糸もしくは編み針に掛け止めるための掛止部２と、ベース部１に設けられ、文字等の情報を担持可能な情報担持部（情報記入媒体保持部３）と、を備える。【選択図】図１
2014214407.tif 000002
【特許請求の範囲】
【請求項１】
ベース部と、
上記ベース部につながり、編み糸もしくは編み針に掛け止めるための掛止部と、
上記ベース部に設けられ、文字等の情報を担持可能な情報担持部と、を備えることを特徴とする、編み物用マーカー。
【請求項２】
上記情報担持部は、上記情報を記入可能な情報記入媒体を保持することができる情報記入媒体保持部を含む、請求項１に記載の編み物用マーカー。
【請求項３】
上記掛止部は、上記ベース部から延びるように形成され、上記ベース部に連結された基端部から自由端である先端部にかけて鉤状に屈曲または湾曲し、かつ弾性変形可能な棒状を呈しており、自然状態において上記先端部と上記ベース部との間には開口が形成されている、請求項２に記載の編み物用マーカー。
【請求項４】
上記ベース部には、弾性変形させた上記掛止部の上記先端部を係合させるための係合部が設けられており、上記先端部が上記係合部に係合するとき、上記掛止部と上記ベース部とが閉じたループを形成する、請求項３に記載の編み物用マーカー。
【請求項５】
上記係合部は、上記ベース部から立ち上がる起立部と、この起立部の先端から上記掛止部の上記基端部側に延びる延出部と、を含む、請求項４に記載の編み物用マーカー。
【請求項６】
上記情報記入媒体保持部は、上記ベース部との間に上記情報記入媒体を弾性的に挟持することができる挟持片を含む、請求項２ないし５のいずれかに記載の編み物用マーカー。
【請求項７】
上記ベース部は、上記掛止部を含む面内方向に延びる板状を呈している、請求項６に記載の編み物用マーカー。
【請求項８】
上記挟持片は、その基端から先端に向かうほど上記ベース部に近づく基端側傾斜部と、上記基端側傾斜部につながり、先端に向かうほど上記ベース部から離れる先端側傾斜部と、を有する、請求項７に記載の編み物用マーカー。
【請求項９】
上記ベース部には、上記挟持片に向かって突出し、上記基端側傾斜部および上記先端側傾斜部のうちの少なくともいずれか一方に当接あるいは近接する突出部が設けられている、請求項８に記載の編み物用マーカー。
【請求項１０】
上記ベース部、上記掛止部および上記情報記入媒体保持部は、合成樹脂により一体形成される、請求項２ないし９のいずれかに記載の編み物用マーカー。
【発明の詳細な説明】
【技術分野】
【０００１】
本発明は、編み作業の途中等において編み糸等に目印として掛け止めるための編み物用マーカーに関する。
【背景技術】
【０００２】
編み作業において、たとえば編み物に目印を付けるために編み物用マーカーが用いられる（たとえば、特許文献１を参照）。編み物用マーカーは、たとえば所定の段数ごとに編み方を変える模様編みを行う場合、段数を数えやすくするために用いられる。この場合、予め決めておいた段数ごとの編み糸に編み物用マーカーを掛け止める。このように編み物用マーカーを編み物に付けておけば、作業を中断した場合においても、編み作業を再開する際には編目の段数を数え直す必要がなく、編み作業の効率を高めることができる。
【０００３】
しかしながら、従来の編み物用マーカーの使用においては、目印として付した段数が幾つであるかを覚えておく必要がある。また、段数等の目印以外の用途で使用することが困難であり、使い勝手の面で改善の余地があった。
【先行技術文献】
【特許文献】
【０００４】
【特許文献１】実公平４−１０２３５号公報
【発明の概要】
【発明が解決しようとする課題】
【０００５】
本発明は、このような事情のもとで考え出されたものであって、種々の用途に使用することを可能とし、使い勝手に優れる編み物用マーカーを提供することを課題としている。
【課題を解決するための手段】
【０００６】
上記の課題を解決するため、本発明では、次の技術的手段を講じている。
【０００７】
本発明によって提供される編み物用マーカーは、ベース部と、上記ベース部につながり、編み糸もしくは編み針に掛け止めるための掛止部と、上記ベース部に設けられ、文字等の情報を担持可能な情報担持部と、を備えることを特徴としている。
【０００８】
好ましい実施の形態においては、上記情報担持部は、上記情報を記入可能な情報記入媒体を保持することができる情報記入媒体保持部を含む。
【０００９】
好ましい実施の形態においては、上記掛止部は、上記ベース部から延びるように形成され、上記ベース部に連結された基端部から自由端である先端部にかけて鉤状に屈曲または湾曲し、かつ弾性変形可能な棒状を呈しており、自然状態において上記先端部と上記ベース部との間には開口が形成されている。
【００１０】
好ましい実施の形態においては、上記ベース部には、弾性変形させた上記掛止部の上記先端部を係合させるための係合部が設けられており、上記先端部が上記係合部に係合するとき、上記掛止部と上記ベース部とが閉じたループを形成する。
【００１１】
好ましい実施の形態においては、上記係合部は、上記ベース部から立ち上がる起立部と、この起立部の先端から上記掛止部の上記基端部側に延びる延出部と、を含む。
【００１２】
好ましい実施の形態においては、上記情報記入媒体保持部は、上記ベース部との間に上記情報記入媒体を弾性的に挟持することができる挟持片を含む。
【００１３】
好ましい実施の形態においては、上記ベース部は、上記掛止部を含む面内方向に延びる板状を呈している。
【００１４】
好ましい実施の形態においては、上記挟持片は、その基端から先端に向かうほど上記ベース部に近づく基端側傾斜部と、上記基端側傾斜部につながり、先端に向かうほど上記ベース部から離れる先端側傾斜部と、を有する。
【００１５】
好ましい実施の形態においては、上記ベース部には、上記挟持片に向かって突出し、上記基端側傾斜部および上記先端側傾斜部のうちの少なくともいずれか一方に当接あるいは近接する突出部が設けられている。
【００１６】
好ましい実施の形態においては、上記掛止部の上記先端部は、先細り状である。
【００１７】
好ましい実施の形態においては、上記ベース部、上記掛止部および上記情報記入媒体保持部は、合成樹脂により一体形成される。
【００１８】
本発明のその他の特徴および利点は、添付図面を参照して以下に行う詳細な説明によって、より明らかとなろう。
【図面の簡単な説明】
【００１９】
【図１】本発明に係る編み物用マーカーの一例を示す斜視図である。
【図２】図１に示す編み物用マーカーの正面図である。
【図３】図２に示す編み物用マーカーの左側面図である。
【図４】編み物用マーカーの使用状態を説明するための正面図である。
【図５】図４のＶ−Ｖ線に沿う部分拡大断面図である。
【図６】本発明に係る編み物用マーカーの他の例を示す正面図である。
【図７】本発明に係る編み物用マーカーの他の例を示す正面図である。
【図８】本発明に係る編み物用マーカーの他の例を示す正面図である。
【図９】図８に示す編み物用マーカーの使用状態を説明するための正面図である。
【発明を実施するための形態】
【００２０】
以下、本発明の好ましい実施の形態について、図面を参照して具体的に説明する。
【００２１】
図１〜図３は、本発明に係る編み物用マーカーの一実施形態を示している。図１および図２に表れているように、本実施形態の編み物用マーカーＡ１は、ベース部１と、掛止部２と、ベース部１に設けられる情報記入媒体保持部３とを備えており、たとえば編み作業の途中等において編み糸に掛け止めて使用するものである。
【００２２】
掛止部２は、ベース部１から延びるように形成されており、編み糸に掛け止める部分である。より具体的には、掛止部２は、基端部２１から先端部２２にかけて鉤状に湾曲しており、弾性変形可能な棒状を呈している。掛止部２は、所定の平面（図２においては紙面の面内方向）に沿うように形成されている。
【００２３】
基端部２１は、ベース部１に連結されている。その一方、先端部２２は自由端とされており、自然状態において、先端部２２とベース部１との間には開口４が形成されている。先端部２２は、後述の係合部１１に係合させられる部分であり、先細り状となっている。
【００２４】
ベース部１は、編み物用マーカーＡ１の主要部分を構成しており、所定の厚みを有する板状とされている。本実施形態では、図１〜図３に表れているように、ベース部１は、掛止部２を含む面内方向に延びており、図２における左右方向に所定幅を有し、かつ図２における上下方向に長状とされている。上記掛止部２の基端部２１は、ベース部１の長手方向ｙの一方端（図２における上方端）、かつ短手方向ｘの一方端（図２における右方端）である位置に連結されている。掛止部２の先端部２２は、図２においてベース部１の左方に位置する。
【００２５】
本実施形態において、ベース部１の長手方向ｙにおける一方端寄りには、係合部１１が設けられている。係合部１１は、弾性変形させた掛止部２の先端部２２を係合させるためのものであり、ベース部１の短手方向ｘの他方端寄り（図２における左方寄り）に位置している。
【００２６】
係合部１１は、起立部１１１，１１２および延出部１１３を含んで構成されている。起立部１１１は、ベース部１の一方の面１ａ（図２における上面）から厚さ方向ｚに立ち上がっている。延出部１１３は、起立部１１１の先端から掛止部２の基端部２１側（図２における右側）に延びている。
【００２７】
起立部１１２は、起立部１１１に対してベース部１の長手方向ｙにおける他方側の端部（図２における下方端）に位置し、ベース部１の一方の面１ａから厚さ方向ｚに立ち上がっている。起立部１１２は、起立部１１１の端部から掛止部２の基端部２１側（図２における右側）に延びている。ベース部１には、係合部１１の近傍において孔１２が形成されている。孔１２は、正面視において延出部１１３と重なっており、ベース部１の厚さ方向ｚに貫通している。
【００２８】
図２に表れているように、ベース部１の長手方向ｙにおける他方端寄り（図２における下方端寄り）には、孔１３および突出部１４，１５が形成されている。孔１３は、ベース部１の厚さ方向ｚに貫通している。
【００２９】
突出部１４，１５は、それぞれベース部１の一方の面１ａから突出しており、ベース部１の長手方向ｙに並んでいる。また、突出部１４，１５は、各々、ベース部１の短手方向ｘ（図２における左右方向）に沿って延びており、孔１３を跨いで突条に形成される。これら突出部１４，１５の意義については後述する。
【００３０】
情報記入媒体保持部３は、文字等の情報を記入可能な情報記入媒体を保持するためのものである。本実施形態では、情報記入媒体保持部３は、起立片３１および挟持片３２を含んで構成されている。起立片３１は、ベース部１の長手方向ｙにおける中間に設けられており、一方の面１ａから立ち上がっている。起立片３１は、ベース部１の短手方向ｘに沿って延びている。
【００３１】
挟持片３２は、起立片３１の先端からベース部１の長手方向ｙにおける他方端に向かって延びている。図３に表れているように、挟持片３２は、ベース部１に対向しており、挟持片３２のばね性によって、ベース部１との間にメモ用紙などの情報記入媒体を弾性的に挟持することができるように構成されている。より具体的には、挟持片３２は、基端側傾斜部３２１および先端側傾斜部３２２を有し、くの字状に屈曲して当該屈曲部位がベース部１に当接あるいは近接している。すなわち、基端側傾斜部３２１は基端から先端に向かうほどベース部１に近づいており、先端側傾斜部３２２は先端に向かうほどベース部１から離れる。本実施形態では、基端側傾斜部３２１にはベース部１の突出部１４が当接し、あるいは僅かな隙間を介して近接しており、先端側傾斜部３２２には突出部１５が当接し、あるいは僅かな隙間を介して当接している。
【００３２】
上記したベース部１、掛止部２および情報記入媒体保持部３を含んで構成される編み物用マーカーＡ１は、たとえばポリアセタール樹脂などの所定の強度を有する合成樹脂により一体形成される。編み物用マーカーＡ１の形成は、３つ以上の割型からなる成形型を用いることにより行うことができる。
【００３３】
次に、本実施形態の編み物用マーカーＡ１の作用について説明する。
【００３４】
編み物用マーカーＡ１を使用する際には、図４に表れているように、まず、情報記入媒体保持部３によってメモ用紙などの情報記入媒体５を保持させる。情報記入媒体５には、文字等の情報５１が筆記具によって記入されている。情報記入媒体５は、ベース部１と挟持片３２との間に差し込むことにより保持される。
【００３５】
次に、ベース部１と掛止部２の先端部２２との間の開口４を通じて掛止部２の内側に編み糸Ｙ１を通す。そして、掛止部２を、図４において仮想線で表す自然状態から弾性変形させて係合部１１に係合させる。ここで、図４において実線で示すように、掛止部２とベース部１とにより閉じたループが形成される。
【００３６】
編み物用マーカーＡ１においては、情報記入媒体保持部３によって情報記入媒体５を保持させることができる。情報記入媒体５に記入される情報５１としては、段数の表示の他にも編地に関する内容表示、毛糸の名前や編み針のサイズ等の種々の情報を採用することができる。したがって、編み物用マーカーＡ１によれば、種々な情報５１を付属させることができ、種々の用途に使用することができる。
【００３７】
編み物用マーカーＡ１の使用時には、掛止部２と係合部１１とが閉じたループを形成する。これにより、編み物用マーカーＡ１が編み糸Ｙ１から脱落するのを防止することができる。
【００３８】
係合部１１は、ベース部１から立ち上がる起立部１１１と、この起立部１１１の先端から掛止部２の基端部２１側に延びる延出部１１３とを含む。図４、図５を参照すると理解されるように、掛止部２を係合部１１に係合させるときには、掛止部２の弾性復元力が図中左側に向けて作用する。上記した係合部１１の構成によれば、掛止部２の先端部２２は、ベース部１、起立部１１１および延出部１１３によって囲まれているので、当該先端部２２が係合部１１から意図せずに外れるといった不具合を適切に回避することができる。
【００３９】
情報記入媒体保持部３は、ベース部１との間に情報記入媒体５を弾性的に挟持することができる挟持片３２を含んでいる。このような構成によれば、情報記入媒体５は、挟持片３２の先端側からベース部１と挟持片３２との間に差し込むことにより保持させることができる。また、挟持片３２は、基端側傾斜部３２１および先端側傾斜部３２２を有する。そして、これら傾斜部３２１，３２２の境界が屈曲しており、当該屈曲部位がベース部１に当接あるいは近接している。このため、挟持片３２とベース部１との間に情報記入媒体５を適切に挟み付けることができる。さらに、挟持片３２の先端側傾斜部３２２は、先端に向かうほどベース部１から離れる。これにより、情報記入媒体５をベース部１および挟持片３２の間に差し込む際に、情報記入媒体５は、先端側傾斜部３２２に案内されてスムーズに差しこまれる。
【００４０】
図３に表れているように、本実施形態では、基端側傾斜部３２１はベース部１に設けられた突出部１４に当接あるいは近接し、先端側傾斜部３２２はベース部１に設けられた突出部１５に当接あるいは近接している。このような構成によれば、情報記入媒体５に対する接触面積を増やすことができるとともに、差し込み方向において離れた複数の部位によって情報記入媒体５が挟み付けられる。したがって、挟持片３２とベース部１との間に挟持された情報記入媒体５が差し込み方向にずれるのを抑制することができる。
【００４１】
以上、本発明の具体的な実施形態を説明したが、本発明はこれに限定されるものではなく、発明の思想から逸脱しない範囲内で種々な変更が可能である。本発明に係る編み物用マーカーの具体的な形状や材質なども、上記実施形態に限定されるものではない。
【００４２】
上記実施形態においては、情報記入媒体保持部３として挟持片３２を備える場合を例に挙げて説明したが、本発明はこれに限定されない。情報記入媒体保持部については、情報記入媒体５を保持することが可能であれば他の構成を採用してもよい。図６は、情報記入媒体保持部について異なる構成を採用した場合を示している。図６に示された編み物用マーカーＡ２は、情報記入媒体５を吊るすためのリング部材３３を有する。リング部材３３は、一部に開口を有する開いた状態と、ループ状に閉じた状態とをとるように構成されている。リング部材３３を、ベース部１に形成された孔１６に通すとともに、吊下げ用の孔５２を有するメモ用紙などの情報記入媒体５の当該孔５２に通す。リング部材３３を閉じておけば、このリング部材３３によって情報記入媒体５を吊り下げて保持することができる。
【００４３】
図６に示した構成においては、次のような使用が可能となる。まず、複数の情報記入媒体５をリング部材３３に重ねて保持させておく。次に、編み物用マーカーＡ２の使用時に、１枚の情報記入媒体５に情報を記入し、掛止部２を編み糸に掛け止める。編み糸から編み物用マーカーＡ２を取り外した後に、記入された情報記入媒体５をちぎる。次回使用する際に、リング部材３３に吊り下げられた別の情報記入媒体５に情報を記入する。
【００４４】
上記実施形態において、文字等の情報を担ぎ持つための情報担持部の一例として情報記入媒体保持部３を具備する構成を例に挙げたが、これに限定されない。上記実施形態では、情報記入媒体５に情報を記入してこの情報記入媒体５を保持する構成とされていたが、これに代えて、情報担持部を直接設ける構成にしてもよい。図７は、情報担持部を備える場合を示している。図７に示された編み物用マーカーＡ３において、ベース部１の面１ａに情報担持部３４が設けられている。情報担持部３４は、専用の筆記具による書き込み、および、専用の消去具による拭き取りが可能な書き込み面３４ａを有する。
【００４５】
上記実施形態において、掛止部２を編み糸Ｙ１に掛け止めて使用する場合を例に挙げて説明したが、本発明はこれに限定されない。掛止部については、たとえば編み針に掛け止めて使用するものとすることができる。図８は、掛止部について上記実施形態と異なる構成を採用した場合を示している。図８に示された編み物用マーカーＡ４は、掛止部２’を有する。掛止部２’は、無端リング状とされており、ベース部１に形成された孔１７に通されている。孔１７は、ベース部１の長手方向ｙにおける一方端寄りに位置し、ベース部１の厚さ方向ｚに貫通している。このような構成により、ベース部１と掛止部２’とはつながっており、ベース部１は、掛け止部２’に吊り下げられる。
【００４６】
図９に示すように、編み物用マーカーＡ４においては、掛止部２’の内側に編み針Ｎを通すことにより掛止部２’を編み針Ｎに掛け止めることができる。編み物用マーカーＡ４は、たとえば編地Ｆの横方向の編み目数の目印として使用することができる。情報記入媒体５に記入される情報５１としては、編み目数の表示の他にも編地Ｆに関する内容表示、毛糸の名前や編み針Ｎのサイズ等の種々の情報を採用することができる。
【符号の説明】
【００４７】
Ａ１，Ａ２，Ａ３，Ａ４    編み物用マーカー
Ｆ        編地
Ｎ        編み針
Ｙ１      編み糸
１        ベース部
１１      係合部
１１１    起立部
１１２    起立部
１１３    延出部
１２，１３    孔
１４，１５    突出部
１６，１７    孔
２，２’    掛止部
２１      基端部
２２      先端部
３        情報記入媒体保持部
３１      起立片
３２      挟字片
３３      リング部材
３４      情報担持部
３４ａ    書き込み面
３２１    基端側傾斜部
３２２    先端側傾斜部
４        開口
５        情報記入媒体
【図１】
2014214407.tif 000003
【図２】
2014214407.tif 000004
【図３】
2014214407.tif 000005
【図４】
2014214407.tif 000006
【図５】
2014214407.tif 000007
【図６】
2014214407.tif 000008
【図７】
2014214407.tif 000009
【図８】
2014214407.tif 000010
【図９】
2014214407.tif 000011